(57)【要約】【課題】映像入力部の状態に基づいて適切にＥＤＩＤ変更制御を行なうことで、表示が乱れる、または表示出来ないといった現象を回避すること。【解決手段】１つの映像信号を表示する第一の表示モードと２つ以上の映像信号を統合表示する第二の表示モードとを有する表示装置であって、２つ以上の映像信号を受信するための映像入力手段と、前記映像入力手段に紐づいた、表示装置の性能を示す性能情報を変更する性能情報変更手段と、前記第一の表示モードと前記第二の表示モードを切り替える切り替え手段と、前記性能情報を変更するか否かを判定する判定手段と、を有し、前記切り替え手段によるモードの切り替えを行なったときに、前記映像入力手段の状態に応じて前記性能情報を変更するか否かを前記判定手段で判定し、変更すると判定した場合には、前記性能情報変更手段で前記性能情報を変更することを特徴とする。【選択図】図１
2019113647.tif 000002
【特許請求の範囲】
【請求項１】
１つの映像信号を表示する第一の表示モードと２つ以上の映像信号を統合表示する第二の表示モードとを有する表示装置であって、
２つ以上の映像信号を受信するための映像入力手段と、
前記映像入力手段に紐づいた、表示装置の性能を示す性能情報を変更する性能情報変更手段と、
前記第一の表示モードと前記第二の表示モードを切り替える切り替え手段と、
前記性能情報を変更するか否かを判定する判定手段と、
を有し、
前記切り替え手段によるモードの切り替えを行なったときに、前記映像入力手段の状態に応じて前記性能情報を変更するか否かを前記判定手段で判定し、変更すると判定した場合には、前記性能情報変更手段で前記性能情報を変更することを特徴とする表示装置。
【請求項２】
前記映像入力手段の状態とは移行先のモードにおける解像度が受信可能な帯域の範囲内であるか否かであることを特徴とする請求項１に記載の表示装置。
【請求項３】
前記映像入力手段の状態とは映像信号を受信しているか否かであることを特徴とする請求項１に記載の表示装置。
【請求項４】
２つ以上の映像信号を受信するための映像入力手段を有し、
１つの映像信号を表示する第一の表示モードと、２つ以上の映像信号を統合表示する第二の表示モードとを有する表示装置の制御方法であって、
前記映像入力手段に紐づいた、表示装置の性能を示す性能情報を変更する性能情報変更工程と、
前記第一の表示モードと前記第二の表示モードを切り替える切り替え工程と、
前記性能情報を変更するか否かを判定する判定工程と、
を有し、
前記切り替え手段によるモードの切り替えを行なったときに、前記映像入力手段の状態に応じて前記性能情報を変更するか否かを前記判定工程で判定し、変更すると判定した場合には、前記性能情報変更工程で前記性能情報を変更することを特徴とする表示装置の制御方法。
【発明の詳細な説明】
【技術分野】
【０００１】
本発明は、表示装置に関し、特に表示する映像を切り替える際のＥＤＩＤの変更制御に関する。
【背景技術】
【０００２】
近年、表示装置の高解像度化が進んでおり、例えば、４Ｋ２Ｋ（３８４０×２１６０）、ＳＨＶ（７６８０×４３２０）といった解像度の液晶パネルを有する表示装置がある。これらの表示装置では、外部から高解像度の映像信号を入力する必要がある。一方、高解像度の映像信号は一般に高ビットレートであり、それを伝送するケーブルのコストが上がってしまう。
【０００３】
そのため、所望の高解像度の映像を空間的に分割して、低解像度の部分映像にし、低解像度の低ビットレートの映像信号として複数のケーブルに分割して伝送する方法がある。ケーブル毎に、部分映像を受信した表示装置は、それらを結合し、高解像度の映像を復元して表示する。この方法により、高価な高ビットレートに対応したケーブルを使用することなく高解像度の表示を実現することができる。
【０００４】
またこのような装置においては、複素本のケーブルから受信した映像を結合した統合画像を表示するモードと１本のケーブルから受信した映像を表示するモード等の複数モードを備えることが想定される。複数本と１本とでは、受信する映像信号の解像度が異なることが想定される。
【０００５】
この状況に対して、特許文献１には、前述のモードの切り替えに連動してＥＤＩＤ（Ｅｘｔｅｎｄｅｄ  Ｄｉｓｐｌａｙ  Ｉｄｅｎｔｉｆｉｃａｔｉｏｎ  Ｄａｔａ）という表示装置側の対応解像度を示す情報を含むデータを変更する方法が開示されている。ＥＤＩＤをモード切り替え後の各映像入力部の解像度に切り替えることで、適切な映像信号を受信することが可能となる。
【先行技術文献】
【特許文献】
【０００６】
【特許文献１】特開２０１１−０８１１８号公報
【発明の概要】
【発明が解決しようとする課題】
【０００７】
しかしながら、前述の通り高解像度の液晶パネルを有する表示装置に対し、複数本のケーブルで１つの統合画像を表示することは出来るが、１本で全体の表示を行なうには帯域が不足するケースが考えられる。
【０００８】
例えば、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）においてはバージョンにより帯域に違いがある。
【０００９】
バージョンの異なるＨＤＭＩ入力部を２つ備え、各入力部に部分的な映像を入力し４Ｋ２Ｋの映像を統合表示する表示装置において、２つの入力部を用いて統合画像を表示するモードから１つの入力部を用いて表示を行なうモードに遷移するケースについて考える。
【００１０】
先行技術を適用する場合、液晶パネルの解像度に収まるようモード遷移時にＥＤＩＤの内容を変更することになる。
【００１１】
例えば液晶パネルが３８４０×２１６０（６０Ｈｚ）であれば、２つの入力部を備える場合は夫々の入力部に紐づくＥＤＩＤを１９２０×２１６０（６０Ｈｚ）に変更することで、左右横並びにした際に液晶パネル解像度の映像を受信する。
【００１２】
また１つの入力部だけを用いて表示を行なうモードであれば、該入力部に紐づくＥＤＩＤを３８４０×２１６０（６０Ｈｚ）と変更する。
【００１３】
しかし、ＨＤＭＩのバージョンによっては、１９２０×２１６０（６０Ｈｚ）は受信可能であるが、３８４０×２１６０（６０Ｈｚ）は受信出来ない場合がある。具体的にはＨＤＭＩバージョン１．４においては、この例に該当し１９２０×２１６０（６０Ｈｚ）は受信可能であるが、３８４０×２１６０（６０Ｈｚ）を受信出来ない。
【００１４】
その入力部に紐づいているＥＤＩＤを３８４０×２１６０（６０Ｈｚ）に変更すると、能力を超える映像信号を受信するため、表示が乱れる、または表示出来ない等の現象として現れてしまう可能性がある。また、ＥＤＩＤを記憶している記憶部は一般的に不揮発性メモリが用いられることがあるが、それらには耐久性の観点から書換え可能回数に上限が設けられていることがある。上述のようにモード遷移を行なう度にＥＤＩＤの変更を行なうと書換え可能回数に達してしまい、所望の内容に変更が出来なくなる可能性もある。
【００１５】
そこで、本発明は、受信部の状況に基づいて適切にＥＤＩＤを変更することで前述の表示の乱れやＥＤＩＤの内容変更の失敗のような現象を回避する技術を提供することを目的とする。
【課題を解決するための手段】
【００１６】
上記の目的を達成するために、本発明に係る映像信号処理装置は、
１つの映像信号を表示する第一の表示モードと２つ以上の映像信号を統合表示する第二の表示モードとを有する表示装置であって、
２つ以上の映像信号を受信するための映像入力手段と、
前記映像入力手段に紐づいた、表示装置の性能を示す性能情報を変更する性能情報変更手段と、
前記第一の表示モードと前記第二の表示モードを切り替える切り替え手段と、
前記性能情報を変更するか否かを判定する判定手段と、
を有し、前記切り替え手段によるモードの切り替えを行なったときに、前記映像入力手段の状態に応じて前記性能情報を変更するか否かを前記判定手段で判定し、変更すると判定した場合には、前記性能情報変更手段で前記性能情報を変更することを特徴とする。
【発明の効果】
【００１７】
本発明に係る映像信号処理装置によれば、映像入力部の状態に基づいて適切にＥＤＩＤ変更制御を行なうことで、表示が乱れる、または表示出来ないといった現象の回避が可能となる。また映像入力部の状態に基づいて適切にＥＤＩＤ変更制御を行なうことでＥＤＩＤの内容変更回数の増加による変更失敗といった現象の回避も可能となる。
【図面の簡単な説明】
【００１８】
【図１】本発明におけるプロジェクタの内部ブロック構成を示す図
【図２】実施例１における表示モード切り替え時のインプットメニューを示す図
【図３】（ａ）実施例１におけるシーケンス図
【図３】（ｂ）実施例１におけるシーケンス図
【図４】実施例１における表示モード別対応表を示す図
【図５】実施例１における表示レイアウトを示す図
【図６】実施例２におけるシーケンス図
【発明を実施するための形態】
【００１９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【実施例１】
【００２０】
本実施例では、液晶パネルを内蔵したプロジェクタを例にとって説明する。
【００２１】
＜プロジェクタの概要説明＞
図１は、本実施例のプロジェクタの主要な構成を示した図である。
【００２２】
１００は、プロジェクタ本体である。１０１は、プロジェクタの各ブロックを制御するための制御部である。制御部１０１はその他各ブロックへ図１に示す通りバス１３４にて接続されており、各ブロックへの制御指示やデータのやり取り等のアクセスを行なうことが可能である。１０２は、ユーザからの操作を受け付ける操作部である。１０３は、プロジェクタの各ブロックへの電源供給を制御する電源部である。
【００２３】
１０４は、液晶部であり、１枚の液晶パネルや３枚の液晶パネル等で構成されており、この液晶パネル上に画像を形成する。本実施例において液晶部の解像度は３８４０×２１６０であるものとする。１０５は、入力された画像信号に基づいて、液晶部１０４の液晶パネルに画像を形成させるための液晶駆動部である。１０６は液晶部１０４に光を供給する光源である。
【００２４】
１０７は、光源１０６から発せられた光を液晶部１０４に供給することにより得られた光学像を不図示のスクリーンに投影するための投影光学系である。１０８は、光源１０６の光量等を制御するための光源制御部１０８である。また、１０９は、投影光学系１０７のズームレンズやフォーカスレンズ等の動作を制御し、ズーム倍率や焦点調整等を行う光学系制御部１０９である。
【００２５】
１１０及び１１２は、ＰＣやＤＶＤプレイヤー等からデジタル映像信号を受け付けるデジタル入力部であり、ＤＶＩ、ＨＤＭＩといったインターフェースの信号を受信することができる映像入力部である。ＨＤＭＩの場合には、外部から制御信号も同時に送信されてくる場合があり、これにより、映像の制御等が行われることもある。映像入力部１１０及び１１２では後述する画像処理部１１８が受信可能な信号に変換する機能を備えており、さらに、受信した映像に関してタイミングの測定や同期信号、データ信号の有無の検出機能も備えている。本実施例においては前述映像入力部１１０及び１１２はＨＤＭＩの入力部であり、１１０及び１１２は夫々後述の図２に示すインプットメニュー２００に示す、ＨＤＭＩ１、ＨＤＭＩ２に対応しているものとする。
【００２６】
プロジェクタ１００は前述映像入力部１１０及び１１２から入力される映像信号のうち１本の表示、または映像入力部１１０及び１１２から入力される各映像を統合し、１枚の統合画像として表示を行なうことも可能である。単独の映像入力で表示を行なうか（請求項１の第一の表示モードに相当）、２つの映像入力で表示を行なうか（請求項１の第二の表示モード）についてはユーザが後述するＯＳＤ（Ｏｎ  Ｓｃｒｅｅｎ  Ｄｉｓｐｌａｙ）メニューなどから設定を変更することで切り替えることが可能である。
【００２７】
またＨＤＭＩ１及びＨＤＭＩ２は夫々ＨＤＭＩバージョンが異なるものであり、夫々受信可能な信号帯域も異なる。具体的にはＨＤＭＩ１はＨＤＭＩバージョン２．０規格に準拠する映像入力部であり１８Ｇｂｐｓの帯域を持ち、ＨＤＭＩ２はＨＤＭＩバージョン１．４規格に準拠する映像入力部であり１０．２Ｇｂｐｓの帯域を持つ。１１１及び１１３は映像入力部の受信性能を示すＥＤＩＤを格納するための記憶部である。
【００２８】
プロジェクタ１００と接続される出力機器はＥＤＩＤ記憶部１１１または１１３に格納されている情報を読み出し、読み出した情報に基づいて映像を出力するものとする。なお本実施例ではＥＤＩＤ記憶部１１１及び１１３は不揮発性のメモリであり、耐久性の観点から書換え上限回数が設けられているメモリである。
【００２９】
１１４は、外部から映像データ、画像データ、映像ファイル等の各種の情報データのファイルを受け取る、又は外部に書き出す、ＵＳＢインターフェースである。また、ポインティングデバイスや、キーボード、ＵＳＢ型のフラッシュメモリ等も接続されることもある。１１５は、カード型の記録媒体に対し、映像データ、画像データ、映像ファイル等の各種の情報データのファイルを読み書きするカードインタフェースであり、ＳＤカードやコンパクトフラッシュ(登録商標)等が挿入可能になっている。
【００３０】
１１６は、イントラネット、インターネットから映像データ、画像データ、映像ファイル等の各種の情報データのファイル、その他の命令信号を送受信する通信部であり、例えば、有線ＬＡＮや無線ＬＡＮ等で構成されている。１１７は、画像データ、ユーザ設定データ等の各種の情報データのファイルを保存する内蔵メモリであり、半導体メモリやハードディスク等で構成される。
【００３１】
例えば、カードインタフェース１１５より入力されたドキュメントファイルは、ファイル再生部１３３により再生される。そして、ファイル再生部は、ドキュメントファイルから、ユーザに掲示するための画像信号を生成して、画像処理部１１８に出力する。
【００３２】
また、映像入力部１１０及び１１２より入力された映像信号や画像信号は直接、画像処理部１１８に送信される。
【００３３】
画像処理部１１８は、これらのインターフェース、ファイル再生部１３２により得られた画像信号や制御部１０１により得られた映像信号等に、液晶部１０４で表示するのに適した補正や解析行う。例えば、画像信号の画素数を液晶パネルの画素数にあわせて変換し、液晶パネルの交流駆動のため、入力された映像信号のフレーム数を倍にし、液晶パネルによる画像形成に適した補正をする。因みに、液晶パネルの交流駆動とは、液晶パネルの液晶にかける電圧の方向を交互に入れ替えて表示させる方法であり、液晶パネルは、液晶にかける電圧の方向が正方向でも逆方向でも画像を生成できる性質を利用したものである。このとき、液晶駆動部１０５には、正方向用の画像と、逆方向用の画像が１枚ずつ送る必要があるので、画像処理部１１８では、映像信号のフレームの数を倍にする処理を行う。
【００３４】
液晶駆動部１０５は、画像処理部１１８により得られた画像信号に基づいて、液晶部１０４の液晶パネルに画像を形成させる。さらに画像処理部１１８は映像入力部１１０及び１１２より入力された映像信号について測定や映像データの解析を行なうことも可能である。デジタル系映像信号には同期信号や映像信号が含まれており、夫々のタイミングを測定し、制御部１０１が読み取り可能な不図示の内部レジスタ等に保持される。また映像信号のデータについても、画素毎の階調情報を同様の内部レジスタ等の保持することが可能である。
【００３５】
また、画像処理部１１８は、スクリーンに対して斜め方向から映像を投影し投影画面が例えば台形状に歪んでしまう場合に、投影画像に対し台形状の歪みを打ち消すように画像の形状を変形させるキーストーン補正も行う。キーストーン補正をする際は、液晶パネルに表示される画像の水平方向及び／又は垂直方向の拡大／縮小率を変更している。このようにして、投影画面の台形状の歪みと表示素子上での映像領域の歪みが相殺され、正常なアスペクト比の長方形の映像表示領域に近づくようにしてスクリーンに表示させるのである。このキーストーン補正は、後述する傾きセンサ１１９により得られた傾き角に基づいて、自動的に動作しても良いし、ユーザが操作部１０２等を操作することにより、動作させても良い。
【００３６】
１１９は、プロジェクタ１００の傾きを検出する傾きセンサである。１２０は、プロジェクタ１００の動作時間、各ブロックの動作時間等を検出するタイマである。１２１は、プロジェクタの光源１０６の温度、液晶部１０４の温度、外気温等を計測する温度計である。
【００３７】
１２２は、プロジェクタ１００付属のリモコンやその他の機器からの赤外線を受信し、制御部１０１に信号を送る赤外線受信部であり、例えば、プロジェクタの前後方向等の複数箇所に設置されている。本実施例では、赤外線受信部１２２はプロジェクタ本体の後方、赤外線受信部１２３はプロジェクタ本体の前方に配置されている。
【００３８】
１２３は、プロジェクタ１００と不図示のスクリーンの距離を検出し、焦点距離を検出する焦点検出部である。１２５は、不図示のスクリーンの方向を撮像する撮像部である。１２５は、スクリーンにより反射される光の光量や輝度を計測するスクリーン測光部である。１２７は、プロジェクタ１００本体に配置され、プロジェクタの状態や警告等を表示する表示部である。１２９は、表示部２８を制御する表示制御部である。
【００３９】
１２９は、プロジェクタ１００本体を持ち運んで使用するとき等に、電力を供給するバッテリである。１３０は、外部からの交流電力を受け入れ、所定の電圧に整流して電源部１０３に供給する電源入力部である。
【００４０】
１３１は、プロジェクタ１００内の熱を外部に放出するなどして、冷却するための冷却部であり、例えば、ヒートシンクとファンにより構成されている。１３２は、制御部１０１に指示に基づきエンコードされたファイルデータ等をエンコードするファイル再生部である。１３３は、ＲＡＭであり、内部メモリ１１６に格納されているプログラムの展開や投影画像のフレームメモリ等に使用する。
【００４１】
＜プロジェクタの通常動作の説明＞
ここで、プロジェクタ１００の通常の動作について説明する。
【００４２】
本実施例のプロジェクタの制御部１０１は、操作部１０２により電源ＯＮの指示がなされたことにより、電源部１０３に各ブロックに電源を供給するように指示をだし、各ブロックを待機状態にする。そして、電源が投入された後、制御部１０１は、光源制御部１０８に光源１０６からの発光を開始するように指示をだす。
【００４３】
次に、制御部１０１は、焦点検出部１２４により得られた焦点の情報等から、投影光学系１０７を調整するよう光学系制御部１０９に指示をだす。光学系制御部１０９は、投影光学系１０７のズームレンズやフォーカスレンズを動作させてスクリーン画面上に投影光が結像するよう制御する。
【００４４】
このようにして、投影の準備が整う。次に、例えば、映像入力部１１０乃至１１３に入力された映像信号は、画像処理部１１８により所定のレイアウトで合成された後、液晶部１０４に適した解像度に変換され、また、ガンマ補正や輝度ムラ対策用補正、キーストーン補正が加えられる。そして、画像処理部１１８により補正を加えられた映像信号は、液晶駆動部１０５により液晶部１０４に画像として形成される。
【００４５】
そして、液晶部１０４の液晶パネルに形成された画像は、光源１０６から発せられた光により投影光学系１０７に導かれ、投影光学系１０７は不図示のスクリーンに画像を投影する。
【００４６】
投影中は、制御部１０１は、光源１０６等の温度を温度計１２１により検出し、例えば、光源の温度が４０度以上になったとき等に、冷却部１３２を動作させて冷却する。
【００４７】
そして、操作部１０２により電源ＯＦＦの指示がなされたことにより、制御部１０１は、各ブロックに終了処理を行うよう通信をする。そして、終了の準備が整うと、電源部１０３は各ブロックへの電源供給を順次終了する。冷却部１３１は、電源ＯＦＦされた後しばらく動作し、プロジェクタを冷却する。
【００４８】
また、映像入力部１１０及び１１２に入力された映像をユーザの設定指示に基づいて統合し、１枚の統合画像として表示することも可能である。各入力部より入力された映像は、ユーザがＯＳＤなどの設定メニューを介して指定した入力部の組み合わせに基づいて、画像処理部１１８にて１枚の統合画像として合成される。合成された後、液晶部１０４に適した解像度に変換され、また、ガンマ補正や輝度ムラ対策用補正、キーストーン補正が加えられる。そして、画像処理部１１８により補正を加えられた映像信号は、液晶駆動部１０５により液晶部１０４に画像として形成される。
【００４９】
そして、液晶部１０４の液晶パネルに形成された画像は、光源１０６から発せられた光により投影光学系１０７に導かれ、投影光学系１０７は不図示のスクリーンに画像を投影する。
【００５０】
＜本件の特徴的な動作の説明＞
以下図２乃至図５を元に本実施例における、ＥＤＩＤの変更制御を行なう時のプロジェクタ１００の動作について説明する。ここで説明するプロジェクタ１００はＨＤＭＩ１及びＨＤＭＩ２に対しＰＣ等の映像供給機器と接続されており、各映像入力部のＥＤＩＤ情報に基づいて映像信号が供給されている状態とする。またプロジェクタ１００はＨＤＭＩ１及びＨＤＭＩ２より入力される画像を１枚に合成し統合画像として投影することが出来る表示モードと各映像入力部単独で表示するモードを備えているものとする。
【００５１】
図２はプロジェクタ１００の持つ入力を切り替えるためのインプットメニュー２００を示している。このメニューによりユーザは前述のモードの切り替えが行なえる。以降、ユーザがＨＤＭＩ１＋２の表示モードへ遷移させ、そのあとＨＤＭＩ２の単独モードへ遷移させた時の流れについて説明する。
【００５２】
プロジェクタ１００の起動が完了し開始された後、ユーザは操作部１０２またはリモコン（不図示）より前述のインプットメニューの表示、操作を行ないＨＤＭＩ１＋２の表示モードを選択する。操作部１０２またはリモコンを介して選択した表示モード情報を制御部１０１が受信した後、制御部１０１はバスを介してＨＤＭＩ１及びＨＤＭＩ２に紐づいているＥＤＩＤ記憶部１１１及び１１３の書換えを行なう。ここで本実施例におけるプロジェクタ１００の有する液晶部１０４における液晶パネルの有効画素は３８４０×２１６０であるものとし、ＨＤＭＩ１＋２のモードにおいては、各映像入力部から受信する映像を左右に並べるレイアウトで表示を行なうものとする。
【００５３】
図５はＨＤＭＩ１＋２のモードにおけるレイアウトを示した図である。３８４０×２１６０の投影画角に対し、左半分はＨＤＭＩ１，右半分はＨＤＭＩ２の表示領域という形で分割されている。図５に示す通り各入力部に入力される映像信号の解像度は１９２０×２１６０となる。
【００５４】
以降図３（ａ）を元に制御シーケンスについて説明する。本実施例におけるプロジェクタ１００は初期状態としてＨＤＭＩ１を表示するモードにあり、図３（ａ）では、該表示モードの状態からＨＤＭＩ１＋２の表示モードへ遷移する時のシーケンスについて説明している。
【００５５】
先ずＳ１０１にて制御部１０１はＨＤＭＩ１＋２という表示モード遷移指示を受け、図４に示す表示モード別対応表４００におけるパネルサイズ映像表示４０３を該情報が予め記録されている内部メモリ１１７より読み出す。
【００５６】
図４はプロジェクタ１００における各表示モード時の各映像入力部の映像入力帯域４０２とプロジェクタ１００が有する液晶パネルの有効解像度のＶ周波数６０Ｈｚにおいて受信可能かを示す対応表である。ＨＤＭＩ１＋２のモードにおいて参照した結果、Ｓ１０２にて受信可能を示す情報が読み出されたので、Ｓ１０３へ遷移しＥＤＩＤを変更する制御を開始する。
【００５７】
Ｓ１０３にて制御部１０１はバスを介してＨＤＭＩ１及びＨＤＭＩ２の入力部である映像入力部１１０及び１１２に対しＨＤＭＩに含まれるＨＰＤ（Ｈｏｔ  Ｐｌｕｇ  Ｄｅｔｅｃｔ）ピンをディアサートするよう指示を出す。ＨＰＤピンとはプロジェクタ１００に映像を供給する装置との間で対応する解像度情報等のネゴシエーションのトリガに使用されるピンのことである。ここでは、ＥＤＩＤの書換えを行なった後、再度ネゴシエーションを行なうためディアサートしている。
【００５８】
次にＳ１０４にて液晶部１０４の有効画素を左右に分割したサイズ、即ち「１９２０×２１６０」という情報を制御部１０１が算出し、バス１３４を介してＥＤＩＤ記憶部１１１及び１１３を算出結果に書き換える。より具体的にはＥＤＩＤ記憶部１１１及び１１３におけるＥＤＩＤデータ構造のＤＴＤ（ＤＥＴＡＬＥＤ  ＴＩＭＩＮＧ  ＤＥＳＣＲＩＰＴＯＲＳ）ブロックの情報の書き換えを行なう。
【００５９】
次にＳ１０５へ遷移し制御部１０１はＳ１０３と同様の要領でＨＰＤピンをアサートし、解像度情報等のネゴシエーション開始のトリガを与える。ここまでの動作によりプロジェクタ１００の映像入力部１１０及び１１２に対し映像供給元から１９２０×２１６０という解像度の映像が入力されることになる。
【００６０】
次に、前述のＨＤＭＩ１＋２の表示モードからＨＤＭＩ２の単独表示モードへ遷移する時のシーケンスについて図３（ｂ）を元に説明する。
【００６１】
ユーザはＨＤＭＩ１＋２への設定と同様に操作部１０２またはリモコンを介してインプットメニューを操作しＨＤＭＩ２へ遷移するよう項目を選択する。
【００６２】
Ｓ２０１にて制御部１０１はＨＤＭＩ２という表示モード遷移指示を受け、制御部１０１は図４に示す表示モード別対応表４００におけるパネルサイズ映像表示４０３を内部メモリ１１７から読み出す。
【００６３】
ＨＤＭＩ２のモードにおいて参照した結果、Ｓ２０２にて不可を示す情報が内部メモリ１１７から読み出される。ＨＤＭＩ２では帯域が１０．２Ｇｂｐｓであるため、プロジェクタ１００が有する液晶パネルの有効画素の解像度の信号を受信すると、能力を超えた信号を受信することで表示として不適合なことが生じる可能性がある。そのため、ここでは不可と判断されＥＤＩＤの変更処理を実施せずシーケンスを終了する。
【００６４】
このように表示モードを切り替えた時に切り替え先の映像入力部の帯域に基づいてＥＤＩＤの変更制御を行なうことで、適切な映像信号の受信を行なうことが可能となる。
【００６５】
なお、本実施例では、ＨＤＭＩ２に表示モードを変更した時ＥＤＩＤの変更を行なわないケースを説明したが、影響が無い範囲、即ち帯域に収まる範囲で変更を行なうことも可能である。例えば、受信した映像をスケーリングすることを考慮し、パネルサイズである３８４０×２１６０のアスペクト比を保ちつつ帯域に収まる解像度にＥＤＩＤを変更しても良い。具体的には１６：９のアスペクトのうち帯域に収まるタイミング（例えば１９２０×１０８０＠６０Ｈｚ）を予めテーブルとして保持しておき、その情報にＥＤＩＤを更新しても良い。また、解像度を維持しつつピクセルエンコード方式やフレームレートを変更することで帯域に収まる信号情報にＥＤＩＤの変更を行なっても良い。この制御についてはＨＤＭＩのバージョンや自装置の対応状況に応じて臨機応変に行なうことがより好適である。
【００６６】
さらに本実施例では２つのＨＤＭＩ入力部を持つプロジェクタにおけるケースを説明したが、２つに限定されることはなく、３つ以上の入力部を備えている場合においても適用可能である。
【００６７】
以上のように、表示モード切り替え時に映像入力部の受信可能な帯域に基づいてＥＤＩＤの変更を行なうか否か判断することで、能力を超えた信号を受信することを避けることができ、結果として乱れた映像の表示といった不適合を回避することが可能となる。
【実施例２】
【００６８】
実施例１では映像入力部の受信可能な帯域に基づいてＥＤＩＤの変更を制御したが、本実施例では、映像入力部への信号有無に基づいてＥＤＩＤを変更するか否かを判断するケースについて説明する。なお本実施例においては実施例１と共通な点については省略し差異のみを説明する。
【００６９】
以下図５を用いて、映像入力部への信号有無に基づいてＥＤＩＤを変更するか否か判断する方法について説明する。
【００７０】
図５に示すシーケンス図はＨＤＭＩ１＋２のモードからＨＤＭＩ２に切り替えを行なった時のプロジェクタ１００の動作の流れを示している。このシーケンスは実施例１同様、操作部１０２やリモコンを介してユーザ操作によりＨＤＭＩ１＋２からＨＤＭＩ２への遷移指示を制御部１０１は受け付けることで開始される。
【００７１】
制御部１０１は前述のユーザ操作を検出すると、先ずＳ３０１にて制御部１０１はＨＤＭＩ２に紐づく映像入力部１１２からバスを介して映像信号の入力状態情報を格納するデータの読み出しを行なう。ここで映像入力部１１０及び１１２は常に映像信号の観測・測定を行なっており、変化があれば常時内部の情報格納データの更新を行なっている。読みだした結果からＳ３０２にて信号の有無の判定を行ない、入力信号有を示す情報であればＳ３０３へ遷移し、以降実施例１にて説明したシーケンスと同様にＥＤＩＤ変更判定制御シーケンスを行なう。
【００７２】
Ｓ３０４にて入力信号無しであると判定した場合は、ＨＤＭＩ信号の入力が無い、即ちＨＤＭＩケーブルの接続が抜けている、または接続されているが映像が入力されていない状態と同義であるため、映像供給元に対しＥＤＩＤの変更することによる要求解像度のネゴシエーションが出来ない。その場合においては不要なＥＤＩＤの変更、即ちＥＤＩＤ記憶部１１１及び１１３である不揮発メモリへのデータの不要な書き換えを行なわないようにするため、ここで入力信号が無いと判断した時はＥＤＩＤ変更制御を行なわずシーケンスを終了する。
【００７３】
以上のように、映像信号の有無に基づいてＥＤＩＤの変更判断を行なうことで不要な書換えを防ぐことができ、書換え耐久回数が制限されているＥＤＩＤ記憶部１１１及び１１３の書換え回数を削減することが可能となる。
【００７４】
以上、本発明の好ましい実施形態について説明したが、本発明はこれらの実施形態に限定されず、その要旨の範囲内で種々の変形及び変更が可能である。
【符号の説明】
【００７５】
１００  プロジェクタ、
１０１  制御部、１０２  操作部、１０３  電源部、１０４  液晶部、
１０５  液晶駆動部、１０６  光源、１０７  投影光学系、１０８  光源制御部、
１０９  光学系制御部、１１０  映像入力部、１１１  ＥＤＩＤ記憶部、
１１２  映像入力部、１１３  ＥＤＩＤ記憶部、１１４  ＵＳＢＩ／Ｆ、
１１５  カードＩ／Ｆ、１１６  通信部、１１７  内部メモリ、
１１８  画像処理部、１１９  傾きセンサ、１２０  タイマ、１２１  温度計、
１２２  赤外線受信部、１２３  焦点検出部、１２４  撮像部、
１２５  スクリーン測光部、１２６  間隔検出部、１２７  表示部、
１２８  表示制御部、１２９  バッテリ、１３０  電源入力部、１３１  冷却部、
１３２  ファイル再生部、１３３  ＲＡＭ、１３４  バス、
２００  インプットメニュー、３００  ＥＤＩＤテーブル、
３０１  映像入力部情報、３０２  ＥＤＩＤ（ＤＥＴＡＬＥＤ  ＴＩＭＩＮＧ）、
４００  表示モード別対応表、４０１  表示モード、４０２  帯域、
４０３  液晶部サイズ映像表示対応可否
【図１】
2019113647.tif 000003
【図２】
2019113647.tif 000004
【図３】
2019113647.tif 000005
【図４】
2019113647.tif 000006
【図５】
2019113647.tif 000007
【図６】
2019113647.tif 000008